(57)【要約】【課題】情報表示窓における太陽光の反射や周囲の景色の映りこみを抑え、情報読取者の視点よりも上方に情報表示窓があっても情報を読み取りやすくする。【解決手段】計量器の一形態であるガスメータ１０は、ガスの積算結果を表示するカウンター機構３と、保安情報を表示する保安情報表示機構４とを備えている。これらはケース２の内部に収容され、ケース２の前面壁部６には、表示されている情報を視認するための透明ガラス等による第１及び第２情報表示窓５１，５２が取り付けられる。各情報表示窓５１，５２は、ガスメータ１０の上下方向が鉛直方向に一致するように設置したときに、各情報表示窓５１，５２の前面の法線ｎが水平よりも下方を向くように傾けて取り付けられている。これにより、情報表示窓５１，５２より下方に視点がある情報読取者であっても、情報が読み取りやすくなる。【選択図】図１
2009270860.tif 000002
【特許請求の範囲】
【請求項１】
所定の表示情報を表示する情報表示手段と、該情報表示手段を内部に収容するケースとを備え、前記ケースは、該ケースの前面壁部に前記情報表示手段を外部から視認可能とするための情報表示窓を有する計量器であって、
該情報表示窓は、前記計量器の上下方向が鉛直方向に一致するように該計量器を設置したときに、前記情報表示窓の前面の法線が、水平よりも下方を向くように傾けて取り付けられていることを特徴とする計量器。
【請求項２】
請求項１に記載の計量器において、前記ケースの前面壁部には、前記情報表示窓の前面の底辺に接し、前記流量計の底部から前記情報表示窓に到るまでの高さを有する平面が設けられていることを特徴とする計量器。
【請求項３】
請求項１に記載の計量器において、前記ケースの前面壁部には、傾斜した前記情報表示窓の前面の底辺に接し、前記流量計の前側下方に向かって傾斜する傾斜面を備えることを特徴とする計量器。
【請求項４】
前記情報表示手段は、前記所定の表示情報として、計量対象の計量積算値を表示する第１の情報表示手段と、前記流量計の保安情報を表示する第２の情報表示手段とを有し、
前記情報表示窓は、前記第１の情報表示手段と、前記第２の情報表示手段とのそれぞれに対応して設けられていることを特徴とする計量器。
【発明の詳細な説明】
【技術分野】
【０００１】
本発明は、計量器、より詳細には、計量値や保安情報等を表示する情報表示手段を視認するための情報表示窓を備えた計量器に関する。
【背景技術】
【０００２】
計量対象の流体や電荷を計量する計量器として、ガスメータや水道メータ、あるいは電気メータなどがある。一例としてガスメータをあげて説明する。
図５は、従来のガスメータの一例を説明するための図で、ガスメータの正面概略図を図５（Ａ）に、ガスメータの断面概略図を図５（Ｂ）に示すものである。図５において、１は計測部、２はケース、３はカウンター機構、４は保安情報表示機構、５１は第１情報表示窓、５２は第２情報表示窓、１０はガスメータである。
【０００３】
ガスメータ１０には、ガスの流量積算値を表示するカウンター数字車を備えたカウンター機構３や、ガスメータの保安情報を表示する液晶パネルを備えた保安情報表示機構４が設けられている。カウンター機構３及び保安情報表示機構４は、それぞれケース２の内部に収容されていて、ケース２には、これらカウンター機構３及び保安情報表示機構４を外部から視認するための透明ガラス等からなる情報表示窓５１，５２が取り付けられている。
【０００４】
そして、ガスメータ１０の上下方向を鉛直方向にして設置する従来のガスメータでは、カウンター３や保安情報表示機構４は、情報読取者が水平方向から視認可能となるように設置される。このとき情報表示窓５１，５２は、カウンター機構３及び保安情報表示機構４の前面と平行に取り付けられ、各情報表示窓５１，５２の表面は、鉛直方向となるように配置されていた。
【０００５】
このようなメータの表示機構に関し、例えば特許文献１では、設置先のガス配管の配置に対して、単一種のガスメータで対応するときに、ガス消費量の表示が見難くなってしまうことを防止するために、ガスメータのハウジングの姿勢が変わっても、表示部を通常通りに視認できるように表示部の取り付けを可能としたガスメータが開示されている。
【特許文献１】特開平１１−５１７３９号公報
【発明の開示】
【発明が解決しようとする課題】
【０００６】
図６は、従来のガスメータにおける情報表示窓の問題点を説明するための図である。上述のように情報表示窓５１，５２を備えたガスメータ１０では、情報読取者は、ケース２の内部のカウンター機構３や保安情報表示機構４を水平方向から視認するようになっている。しかしながら、ガスメータ１０の設置状況によっては、情報読取者の視点２０がガスメータ１０の下方にあり、その目線２１が上方を向くような場合もある。このような場合には、情報表示窓５１，５２における太陽光の反射や周囲の景色の映りこみにより、表示された情報が読み取り難くなる、という問題が生じる。また、この場合に、情報表示窓５１，５２の底辺側のケース２の張り出しにより、下方からの視線が遮られて、表示された情報が読取難くなる、という問題も生じる。
また、特許文献１においても、このような下方からの視線に対する表示部の視認性については何ら述べられていない。
【０００７】
本発明は、上述のごとき実情に鑑みてなされたもので、情報表示窓における太陽光の反射や周囲の景色の映りこみを抑え、情報読取者の視点よりも上方に情報表示窓があっても情報を読み取りやすくした計量器を提供することを目的とする。
【課題を解決するための手段】
【０００８】
請求項１の発明は、所定の表示情報を表示する情報表示手段と、情報表示手段を内部に収容するケースとを備え、ケースは、ケースの前面壁部に情報表示手段を外部から視認可能とするための情報表示窓を有する計量器であって、情報表示窓は、計量器の上下方向が鉛直方向に一致するように計量器を設置したときに、情報表示窓の前面の法線が、水平よりも下方を向くように傾けて取り付けられていることを特徴としたものである。
【０００９】
請求項２の発明は、請求項１の発明において、ケースの前面壁部には、情報表示窓の前面の底辺に接し、流量計の底部から情報表示窓に到るまでの高さを有する平面が設けられていることを特徴としたものである。
【００１０】
請求項３の発明は、請求項１の発明において、ケースの前面壁部には、傾斜した情報表示窓の前面の底辺に接し、流量計の前側下方に向かって傾斜する傾斜面を備えることを特徴としたものである。
【００１１】
請求項４の発明は、情報表示手段は、所定の表示情報として、計量対象の計量積算値を表示する第１の情報表示手段と、流量計の保安情報を表示する第２の情報表示手段とを有し、情報表示窓は、第１の情報表示手段と、第２の情報表示手段とのそれぞれに対応して設けられていることを特徴としたものである。
【発明の効果】
【００１２】
本発明によれば、情報表示窓における太陽光の反射や周囲の景色の映りこみを抑え、情報読取者の視点よりも上方に情報表示窓があっても情報を読み取りやすくした計量器を提供することができる。
【発明を実施するための最良の形態】
【００１３】
（実施形態１）
図１は、本発明による計量器の第１の実施形態を説明するための図で、計量器の一例としてガスメータの構成例を示している。図１（Ａ）はガスメータの正面概略図、図１（Ｂ）はガスメータの断面概略図で、図中、１は計測部、２はケース、３はカウンター機構、４は保安情報表示機構、５１は第１情報表示窓、５２は第２情報表示窓、５１ａは第１情報表示窓の前面の底辺、５２ａは第２情報表示窓の前面の底辺、６はケース２の前面壁部、６１は前面壁部の第１面、６２は前面壁部の第２面、６３は前面壁部の第３面である。カウンター機構３と保安情報表示機構４とは、それぞれ本発明の第１の情報表示手段と第２の情報表示手段に該当するものである。
【００１４】
ガスメータ１０は、その計測部１を通過したガスの体積を表示する装置であり、ガスの積算表示結果は、ケース２に内部に収容され、ガスメータ１０の正面に向けて配置されたカウンター数字車によるカウンター機構３により表示される。カウンター機構３は、液晶パネルを用いたものであってもよい。そして、このカウンター機構３を外部から視認可能とするために、ケース２の前面壁部６には透明なガラスによる第１情報表示窓５１が設けられている。
【００１５】
また近年、ガスメータ１０には、保安のためのマイコンを搭載しているものがあり、その保安情報を表示するためのユニットとして液晶パネルを用いた保安情報表示機構５が備えられている。保安情報としては、例えばガス流量区分ごとの継続使用遮断時間を監視するための監視流量区分や継続使用時間などの情報がある。このような保安情報表示機構４についても、上記カウンター機構３と同様にケース２の内部に収容され、外部から表示内容が視認できるように、ケース２の前面壁部６には透明なガラスによる第２情報表示窓５２が設けられている。なお、各情報表示窓５１，５２は、透明なガラスに代えて透明樹脂板などの内部が視認可能な部材を適用することもできる。
【００１６】
本実施形態では、透明なガラスによる第１及び第２情報表示窓５１，５２をケース２の前面壁部６に対して傾けて配置することで、ガスメータ１０の下方に視点があった場合でも、太陽光の反射や周囲の景色の映りこみを抑えることができるため、情報が読み取りやすくなる。
【００１７】
ここでは各情報表示窓５１，５２は、ガスメータ１０の上下方向が鉛直方向に一致するように設置したときに、各情報表示窓５１，５２の前面の法線ｎが水平よりも下方を向くように傾けて取り付けられている。このとき、各情報表示窓５１，５２は、その上辺側よりも底辺側の方がガスメータ１０の背面側（奥側）に位置するように傾斜している。
これにより、情報表示窓５１，５２より下方に視点がある情報読取者であっても、情報が読み取りやすくなる。
【００１８】
次にケース２の前面壁部６の構成を説明する。本実施形態では、ケース２の前面壁部６は、第１情報表示窓５１の前面の上辺に接する第１面６１と、傾斜した第１情報表示窓５１の前面の底辺５１ａに接し、ガスメータ１０の底部から第１情報表示窓５１の底辺５１ａに到るまでの高さを有する平面である第２面６２とを備える。さらに前面壁部６は、第２情報表示窓５２の前面の底辺５２ａに接し、ガスメータ１０の底部から第２情報表示窓５２の底辺５２ａに到るまでの高さを有する平面である第３面６３を備える。第１面６１〜第３面６３は、ガスメータ１０の上下方向が鉛直方向に一致するように設置されたときに鉛直方向となる平面である。ここでは第１面６１〜第３面６３は、ガスメータ１０の前後方向に段差を形成し、第１面６１が最も前側に位置し、第３面６３が最も背面側（奥側）に位置する。
【００１９】
このような構成により、情報読取者が、各情報表示窓５１，５２の下方から情報表示窓を見上げたとき、ケース２の飛び出しにより各情報表示窓５１，５２が遮られることがないため、視認性が向上する。また各情報表示窓５１，５２の底部に、ケース２の前面壁部６による段差が発生しないため、ごみ、埃、汚れの堆積を防ぐことが可能となり、各情報表示窓５１，５２の視認性の低下を防ぐ効果も得られる。
【００２０】
図２は、第１の実施形態における情報表示窓の視認状態を説明するための図である。図２に示すように、本実施形態によれば、各情報表示窓５１，５２はケース２の前面壁部６に対して傾斜して配置されている。このため、情報読取者の視点２０がガスメータ１０の下方にあり、その情報読取者の目線２１が上方を向くように各情報表示窓５１，５２が位置している場合であっても、各情報表示窓５１，５２における太陽光の反射や周囲の景色の映りこみにより表示された情報が読み取り難くなる、という問題を解消し、容易かつ確実に情報の読取を行うことができる。
【００２１】
また、各情報表示窓５１，５２の前面の底辺に接するケース２の前面壁部６には、ガスメータ１０の前後方向に段差を形成する第１面６１〜第３面６３を設けることで、上記情報表示窓５１，５２の前面の底辺側に接する面がガスメータの１０の背面側に後退する。これにより、視認時の視線が遮られることがなくなる。また、各情報表示窓５１，５２の前面の底辺５１ａ，５２ａと、ケースの前面壁部６との段差がないため、ごみや埃、汚れの堆積を防ぐことができる。
【００２２】
（実施形態２）
図３は、本発明による計量計の第２の実施形態を説明するための図で、計量計の一例としてガスメータの他の構成例を示している。図３（Ａ）はガスメータの正面概略図、図３（Ｂ）はガスメータの断面概略図で、図中、６４はケースの前面壁部に設けられた第１斜面、６５はケースの前面壁部に設けられた第２斜面で、その他、図１と同一の要素には図１と同じ符号が付してある。
【００２３】
本実施形態においても、第１の実施形態と同様に、透明なガラス（もしくは透明樹脂板等）による第１及び第２の情報表示窓５１，５２をケース２の前面壁部６に対して傾けて配置する。これにより、ガスメータ１０の下方に視点があった場合でも、太陽光の反射や周囲の景色の映りこみを抑えることができるため、情報が読み取りやすくなる。各情報表示窓５１，５２は、ガスメータ１０の上下方向が鉛直方向に一致するように設置したときに、各情報表示窓５１，５２の前面の法線ｎが水平よりも下方を向くように傾けて取り付けられている。ここでは、各情報表示窓５１，５２は、その上辺側よりも底辺側の方がガスメータ１０の背面側（奥側）に位置するように傾斜している。これにより、情報表示窓５１，５２より下方に視点がある情報読取者であっても、情報が読み取りやすくなる。
【００２４】
本実施形態では、ケース２の前面壁部６の構成が第１の実施形態と異なっている。すなわち、本実施形態では、ケース２の前面壁部６は、傾斜した各情報表示窓５１，５２の前面の底辺５１ａ，５２ａにそれぞれ接し、その底辺を起点としてガスメータ１０の前側下方に向かって傾斜する傾斜面６５，６６を備えている。この場合、前面壁部６のうち、第１及び第２傾斜面６４，６５を除く面は連続する同一平面を構成している。
【００２５】
このような構成により、情報表示窓５１，５２の下方から情報表示窓を見上げたとき、ケース２の飛び出しにより情報表示窓５１，５２が遮られることがないため、視認性が向上する。また情報表示窓５１，５２の底辺側とケース２の前面壁部６との間に段差が発生しないため、ごみ、埃、汚れの堆積を防ぐことが可能となり、各情報表示窓５１，５２の視認性低下を防ぐ効果も得られる。また、前面壁部６ａのうち、第１及び第２傾斜面６４，６５を除く面は段差のない連続する同一平面となっているため、意匠性も確保できる。
【００２６】
図４は、第２の実施形態における情報表示窓の視認状態を説明するための図である。図４に示すように、本実施形態によれば、各情報表示窓５１，５２はケース２の前面壁部６に対して傾斜して配置されている。このため、情報読取者の視点２０がガスメータ１０の下方にあり、その情報読取者の目線２１が上方を向くように情報表示窓５１，５２が位置している場合であっても、各情報表示窓５１，５２が傾斜して配置されていて、かつその傾斜面の法線が下方を向くように配置されているため、各情報表示窓５１，５２における太陽光の反射や周囲の景色の映りこみにより、表示された情報が読み取り難くなる、という問題を解消し、容易かつ確実に情報の読取を行うことができる。
【００２７】
また、各情報表示窓５１，５２の底辺側に接するケース２の前面壁部６には、傾斜した前記情報表示窓５１，５２の前面の底辺にそれぞれ接し、底辺を起点としてガスメータ１０の前側下方に向かって傾斜する傾斜面６４，６５を設けることで、視認時の視線が遮られることがなく、また情報表示窓５１，５２の底辺側とケース２の前面壁部６との間に段差がないため、ごみや埃、汚れの堆積を防ぐことができる。
【００２８】
なお、上記の各実施形態においては、カウンター機構３と保安情報表示機構４にそれぞれ対応した第１及び第２情報表示窓５１，５２の両方を傾斜させるように配置しているが、本発明に係る実施形態では、いずれか１方の情報表示窓のみを傾ける構成としてもよい。
また、カウンター機構３と保安情報表示機構４とを一つの表示部で兼用したものとしてもよい。この場合には、その表示部の表示を視認するための情報表示窓をケース２の前面壁部６に設け、その情報表示窓、及び表示窓を取り付けるカバーを上記実施形態のような構成とすることができる。
【００２９】
また、上記の実施形態では、ガスメータを例として説明したが、本発明に係る計量器は、水道メータや電気メータなど、計量値をメータ正面に表示する情報表示窓を備えたメータに適用することができる。
【図面の簡単な説明】
【００３０】
【図１】本発明による計量器の第１の実施形態を説明するための図である。
【図２】第１の実施形態における情報表示窓の視認状態を説明するための図である。
【図３】本発明による計量計の第２の実施形態を説明するための図である。
【図４】第２の実施形態における情報表示窓の視認状態を説明するための図である。
【図５】従来のガスメータの一例を説明するための図である。
【図６】従来のガスメータにおける情報表示窓の問題点を説明するための図である。
【符号の説明】
【００３１】
１…計測部、２…ケース、３…カウンター機構、４…保安情報表示機構、５…保安情報表示機構、６…前面壁部、１０…ガスメータ、２０…視点、２１…目線、５１，５２…情報表示窓、５１ａ…底辺、５１ａ，５２ａ…底辺、６１…前面壁部の第１面、６２…前面壁部の第２面、６３…前面壁部の第３面、６４，６５，６６…傾斜面。
【図１】
2009270860.tif 000003
【図２】
2009270860.tif 000004
【図３】
2009270860.tif 000005
【図４】
2009270860.tif 000006
【図５】
2009270860.tif 000007
【図６】
2009270860.tif 000008